(57)【要約】      （修正有）【課題】バストカップ部とバストとの間に隙間が生じるのを抑制し、着用感を向上させることが可能なカップ部を有する女性用衣料を提供する。【解決手段】ブラジャーの左右のバストカップ部２，３は、その内面側に配置され、球形状に形成された多数の綿状繊維２０からなる中綿層１２を備える。中綿層として、一定の荷重を加えて圧縮した後の１分経過後の形状回復率が８５％以上であるものを用いることにより、バストカップ部とバストとの間に隙間が生じるのを抑制し、着用感を向上させることが可能となる。【選択図】図２
0003199461.tif 000002
【実用新案登録請求の範囲】
【請求項１】
女性が着用するパッド体において、
前記パッド体は、その内面側に配置され、球形状に形成された多数の綿状繊維からなる中綿層を備えたことを特徴とするパッド体。
【請求項２】
女性のバストをそれぞれ覆う左右のバストカップ部を備え、
前記左右のバストカップ部は、その内面側に配置され、球形状に形成された多数の綿状繊維からなる中綿層を備えたことを特徴とするカップ部を有する女性用衣料。
【請求項３】
前記中綿層が接触する面は、球形状に形成された多数の綿状繊維の移動を規制する粗面として形成されていることを特徴とする請求項２に記載の女性用衣料。
【請求項４】
女性のバストをそれぞれ覆う左右のバストカップ部を備え、
前記左右のバストカップ部は、その内面側に配置され、球形状に形成された多数の綿状繊維からなり、一定の荷重を加えて圧縮した後の１分経過後の形状回復率が８５％以上である中綿層を備えたことを特徴とするカップ部を有する女性用衣料。
【請求項５】
前記中綿層は、グレンゲラン（登録商標）からなることを特徴とする請求項２乃至４のいずれかに記載のカップ部を有する女性用衣料。
【請求項６】
前記中綿層の肌側は、当該中綿層のソフト性を半減させない柔軟性及び伸縮性を有する生地により被覆されていることを特徴とする請求項２乃至５のいずれかに記載のカップ部を有する女性用衣料。
【請求項７】
前記女性用衣料は、身頃背面部を含むその一部に伸縮性を有する不織布を有していることを特徴とする請求項２乃至６のいずれかに記載のカップ部を有する女性用衣料。
【考案の詳細な説明】
【技術分野】
【０００１】
この考案は、ブラジャーやブラスリップ、ボディスーツ、ブラキャミなどのファンデーション、或いはアウター衣料等を広く含むパッド体及びこれを用いたカップ部を有する女性用衣料に関するものである。
【背景技術】
【０００２】
従来、この種のブラジャーやブラスリップ、ボディスーツ、ブラキャミなどのファンデーション、或いはアウター衣料等を広く含むカップ部を有する女性用衣料は、例えば、左右のバストを覆うバストカップ部と、これら左右のバストカップ部を繋ぐセンターパネルと、これら左右のバストカップ部の体側部から背面側にわたり連設されたバックパネルとを備えるように構成されている。
【０００３】
かかる女性用衣料は、女性のバストの美的外観を向上させるため、発泡ウレタンや不織布等をモールド成形することにより理想とするバスト形状に近い形状に形成された保形性に優れるバストカップ部を備えている。
【０００４】
このようなバストカップ部を備えた衣類としては、例えば、特許文献１に記載されたものが既に提案されている。この特許文献１は、人体の膨出部を含む部位に着用される衣料に用いられる三次元構造体において、人体の膨出部及び前記膨出部に隣接する隣接部位、並びに前記人体の膨出部と前記隣接部位との間に位置する連接部の形状を三次元的に解析し、前記三次元的に解析された前記人体の膨出部の形状に補正を加えた形状に形成された膨出体部と、前記三次元的に解析された前記人体の膨出部に隣接する隣接部位の形状に基づいて形成された身頃体部と、前記衣料の着用時に変形して前記身頃体部の前記膨出体部に隣接する部位の形状を前記膨出体部の形状に一致させるか又は前記膨出体部に対して補正力を作用させる連接体部とを備えたものである。
【先行技術文献】
【特許文献】
【０００５】
【特許文献１】特開２０１３−１８５２５９号公報
【考案の概要】
【考案が解決しようとする課題】
【０００６】
しかしながら、上記従来技術の場合には、次のような技術的課題を有している。すなわち、上記特開２０１３−１８５２５９号公報に係る衣料の場合には、人体へのフィット性を向上させるとともに、着用感に優れた衣料を提供することを目的とするものであるが、バストカップ部のデザインやサイズ、あるいは左右のバストの大きさの違いなど種々の要因により、バストカップ部とバストのサイズが合わず、バストカップ部とバストとの間に隙間が生じてしまい、着用感を損ねるという技術的課題を有していた。
【０００７】
そこで、この考案は、上記従来技術の課題を解決するためになされたものであり、その目的とするところは、人体とパッド体との間に隙間が生じるのを抑制し、着用感を向上させることが可能なパッド体を提供することにある。
【０００８】
また、この考案の目的とするところは、バストカップ部とバストとの間に隙間が生じるのを抑制し、着用感を向上させることが可能なカップ部を有する女性用衣料を提供することにある。更に、この考案の目的とするところは、製品ブラジャー等の役割である乳房下部の支え及びアップさせることが可能なカップ部を有する女性用衣料を提供することにある。
【課題を解決するための手段】
【０００９】
上記の課題を解決するため、請求項１に記載された考案は、女性が着用するパッド体において、
前記パッド体は、その内面側に配置され、球形状に形成された多数の綿状繊維からなる中綿層を備えたことを特徴とするパッド体である。
【００１０】
請求項２に記載された考案は、女性のバストをそれぞれ覆う左右のバストカップ部を備え、
前記左右のバストカップ部は、その内面側に配置され、球形状に形成された多数の綿状繊維からなる中綿層を備えたことを特徴とするカップ部を有する女性用衣料である。
【００１１】
請求項３に記載された考案は、前記中綿層が接触する面は、球形状に形成された多数の綿状繊維の移動を規制する粗面として形成されていることを特徴とする請求項２に記載の女性用衣料である。
【００１２】
請求項４に記載された考案は、女性のバストをそれぞれ覆う左右のバストカップ部を備え、
前記左右のバストカップ部は、その内面側に配置され、球形状に形成された多数の綿状繊維からなり、一定の荷重を加えて圧縮した後の１分経過後の形状回復率が８５％以上である中綿層を備えたことを特徴とするカップ部を有する女性用衣料である。
【００１３】
請求項５に記載された考案は、前記中綿層は、グレンゲラン（登録商標）からなることを特徴とする請求項２乃至４のいずれかに記載のカップ部を有する女性用衣料である。
【００１４】
請求項６に記載された考案は、前記中綿層の肌側は、当該中綿層のソフト性を半減させない柔軟性及び伸縮性を有する生地により被覆されていることを特徴とする請求項２乃至５のいずれかに記載のカップ部を有する女性用衣料である。
【００１５】
請求項７に記載された考案は、前記女性用衣料は、身頃背部を含むその一部に伸縮性を有する不織布を有していることを特徴とする請求項２乃至６のいずれかに記載のカップ部を有する女性用衣料である。
【考案の効果】
【００１６】
この考案によれば、人体とバストカップとの間に生じる部位の何れかに限定することなく当該間隙を抑制し、着用感を向上させることが可能なパッド体を提供することができる。
【００１７】
また、この考案によれば、バストカップ部とバストとの間に隙間が生じるのを抑制し、着用感を向上させることが可能なカップ部を有する女性用衣料を提供することができる。
【図面の簡単な説明】
【００１８】
【図１】この考案の実施の形態１に係るカップ部を有する女性用衣料としてのブラジャーを示す構成図である。
【図２】バストカップ部を示す断面図である。
【図３】バストパッドを示す構成図である。
【図４】バストカップ体の表面を示す拡大構成図である。
【図５】球形状に形成された多数の綿状繊維２０を示す構成図である。
【図６】バストカップ部の上端部を示す構成図である。
【図７】バストカップ部を示す斜視構成図である。
【図８】バックパネルを示す構成図である。
【図９】バックパネルを示す斜視構成図である。
【図１０】ストラップを示す構成図である。
【図１１】この考案の実施の形態１に係るカップ部を有する女性用衣料としてのブラジャーの着用状態を示す一部破断の説明図である。
【図１２】この考案の実施の形態２に係るパッド体としてのバストパッドを示す断面構成図である。
【考案を実施するための形態】
【００１９】
以下に、この考案の実施の形態について図面を参照して説明する。
【００２０】
実施の形態１
図１はこの考案の実施の形態１に係るカップ部を有する女性用衣料としてのブラジャーを示す外観構成図である。
【００２１】
このブラジャー１は、女性の体の膨出部としての左右のバストをそれぞれ覆う左右のバストカップ部２，３を備えている。これら左右のバストカップ部２，３は、例えば、カップの面積がフルカップの３／４に相当する３／４カップ形状にそれぞれ形成されている。尚、上記バストカップ部２，３のカップ形状は、３／４カップに限らず、１／２カップやフルカップなどの他のカップ形状であっても勿論良い。また、これら左右のバストカップ部２，３は、当該左右のバストカップ部２，３の中央部から下部に掛けて縫着されたセンターパネル４によって互いに連結されている。ただし、これら左右のバストカップ部２，３は、当該左右のバストカップ部２，３の中央部から左右両端部にまで亙り配設された一枚のセンターパネル４によって互いに連結されるように構成しても良い。
【００２２】
また、上記左右のバストカップ部２，３の体側部側には、女性の体の体側部から背面側に位置する背面側身頃体としてのバックパネル５，６が設けられている。バックパネル５，６は、ブラジャー１を人体に着用する際の装着力を生じさせるものである。これら左右のバックパネル５，６の先端には、図示しないフックやアイ７からなる連結具が装着されている。また、左右のバストカップ部２，３の体側部側に位置する上端部には、左右のストラップ８，９がそれぞれ縫着されている。
【００２３】
ところで、この実施の形態に係るバストカップ部２，３は、図２に示すように、バストカップ部２，３の外面側に配置される表布１０と、バストカップ体１１と、バストカップ部２，３の内面側（肌側）に配置される中綿層１２と、中綿層１２の肌側に配置される第１及び第２の裏面層１３，１４と、バストカップ部２，３の上端縁に沿って配置されるレース地１５と、バストカップ部２，３の下端縁に沿って配置される保形用ボーン１６とを備えている。
【００２４】
上記バストカップ体１１は、図３に示すように、モールド成形等により略バスト形状に対応した椀体形状に形成されたバストパッド１７そのもの、又はバストパッド１７の表裏両面を、図示しない表地及び裏地で被覆した状態で外周縁を接着又は縫製したものである。バストパッド１７は、例えば、不織布やウレタン等の発泡体などを素材として用い、これらの不織布やウレタン等の発泡体を切削（スライス）したものをモールド成型することによって、所定の形状に形成される。図４は、発泡ウレタンからなるバストパッド１７の表面を拡大して示したものである。バストパッド１７の表面には、発泡ウレタンの気泡が露出しており、多数の凹凸を形成している。その結果、中綿層１２が接触するバストパッド１７の内面（肌側の面）は、球形状に形成された多数の綿状繊維の移動を規制する粗面として形成されている。なお、バストパッド１７の素材としては、上記のもの以外にも、ダブルラッセル編による空気層を内部に有するシート体などを用いても良い。
【００２５】
バストパッド１７は、その表面形状が人体美学やファッション美学的な形状曲線を持ち、更にＪＩＳのサイズ規格に基づく高さ及び底辺を持つ（Ａ，Ｂ，Ｃカップ等）と共に、外周輪郭形状は製品の目的やデザインの目的等に基づく形状（図示例では、３／４カップ）を前提として構成されている。さらに説明すると、上記右側のバストカップ部３におけるバストパッド１７は、図３に示すように、女性のバスト部分の約３／４を覆う大きさに形成されている。また、上記バストパッド１７は、その下側の端縁部１７ａが略円弧形状に形成されている。
【００２６】
上記中綿層１２は、図２に示すように、球形状に形成された多数の綿状繊維２０からなる。この中綿層１２を構成する球形状に形成された多数の綿状繊維２０としては、例えば、東洋紡ＳＴＣ株式会社製のグレンゲラン（登録商標）が用いられる。この球形状に形成された多数の綿状繊維２０は、図５に示すように、例えば、ポリエステル製の繊維を直径２〜４ｍｍ程度の球形状に粒子化させて綿状に形成した繊維からなるものである。
【００２７】
球形状に形成された多数の綿状繊維２０は、形状回復力が従来のポリエステル製の繊維からなる綿状の緩衝材と比較して大幅に高く設定されている。すなわち、グレンゲラン（登録商標）は、東洋紡ＳＴＣ株式会社のデータによれば、同体積のワタに５．６ｇ／ｃｍ２の一定荷重を加えた後、同荷重を除去して１分経過した後の自然回復率が、従来のポリエステル製の繊維からなる綿状の緩衝材が７５％であるのに対して、１０％以上高い９０％と大幅に高い値を示しており、少なくとも８５％以上の回復率を有している。
【００２８】
また、左右のバストカップ部２，３は、図６に示すように、当該左右のバストカップ部２，３の上端縁を装飾するレース地１５と、二方向に伸縮性を有するツーウエイの生地からなる第２の裏地１４と、一方向に伸縮性を有するスムースニットの生地からなる第１の裏地１３とが１本針のオーバーロックミシンにより互いに縫着されている。
【００２９】
さらに、左右のバストカップ部２，３は、図６（ｂ）に示すように、互いに縫着されたレース地１５と第２の裏地１４と第１の裏地１３とを、レース地１５が左右のバストカップ部２，３の上端縁に位置するように折り返した状態で、ツーウエイの生地からなる表地１０及びバストパッド１７の上端縁とが、二点千鳥でステッチが表面に出ないように互いに縫着される。
【００３０】
また、左右のバストカップ部２，３は、図２に示すように、バストパッド１７の表面側における下端縁に沿って保形用ボーン１６を配置した状態で、表地１０の下端縁をバストパッド１７の内側に折り返すとともに、第１の裏地１３及び第２の裏地１４をバストパッド１７の裏側に折り返し、保形用ボーン１６の上下両端縁を挟んだ状態で、表地１０、バストパッド１７、第１の裏地１３及び第２の裏地１４を一体的に縫着するように構成されている。
【００３１】
その際、左右のバストカップ部２，３には、図２及び図７に示すように、バストパッド１７と第１の裏地１３との間に、中綿層１２を構成する球形状に形成された多数の綿状繊維２０を予め定められた量（例えば、１〜３ｇ程度）だけ充填される。
【００３２】
その結果、バストパッド１７と第１の裏地１３との間には、球形状に形成された多数の綿状繊維２０からなる中綿層１２が形成される。
【００３３】
また、この実施の形態では、図８及び図９に示すように、左右のバックパネル５，６が構成されている。左右のバックパネル５，６は、伸縮性を有する不織布２５と、二方向に伸縮性を有するツーウエイの生地からなる脇布２６の下端縁を一致させるとともに、ツーウエイ生地からなる脇布２６の上端縁が伸縮性を有する不織布２５の上端縁より長くなるように形成し、脇布２６と伸縮性を有する不織布２５の上端縁同士が伸縮性を有する不織布２５の上端縁に合わせて二点千鳥縫いにより縫着される。
【００３４】
また、左右のバックパネル１２，１３には、図８（ｂ）に示すように、ツーウエイ生地２７の下端縁に相当する位置に伸縮性を有するアンダーテープ２８が二点千鳥縫いにより予め縫着されている。
【００３５】
そして、左右のバックパネル１２，１３は、図８（ｃ）に示すように、製品表裏を形成する身頃体である表面側のレース地２９並びに裏構成体としてのツーウエイ生地２７及び不織布２５を、先ず当該表裏上辺を前提に中表合わせとして配置する。次に、上記表裏二枚の中表とするレース地２９並びに不織布２５からなる身頃体エッジを揃え、当該レース地２９のエッジ最上部をベースに縫い代量（約５〜６ｍｍ）分を下げた位置に重ね合わせ、準身頃体である伸縮性を有する不織布２５を同じく製品エッジより縫い代分下げた位置に合わせ配設する。そして、左右のバックパネル１２，１３は、その表面を形成するレース地２９と、アンダーテープ２８が縫着されたツーウエイ生地２７を左右のバックパネル１２，１３の裏面側に折り返した状態で、予め上端縁が互いに縫着された伸縮性を有する不織布２５及び脇布２６と４点千鳥縫いにより縫着される。
【００３６】
伸縮性を有する不織布２５としては、例えば、日本バイリーン株式会社製のエアーパック（登録商標）を使用することができる。この日本バイリーン株式会社製のエアーパック（登録商標）は、２Ｎの荷重を加えたときの伸び率が５０％以上と非常に大きく人体の体側部から背面部に掛けて良好にフィットすることができる。
【００３７】
一方、左右のバックパネル１２，１３の上端縁は、図８（ｄ）に示すように、その表面を形成するレース地２９と、アッパーテープ３０と、伸縮性を有する不織布２５と、脇布２６とが４点千鳥縫いにより予め縫着されている。こうすることにより、伸縮性を有する不織布２５は、折代を無くすことができ、仕上げ部が厚く且つ人体を圧迫することが回避される。
【００３８】
さらに、左右のストラップ８，９は、図１０に示すように、起毛されたツーウエイ生地３１を内側を表にした状態で、ピコ無しの伸縮性を有するテープ３２と５ｍｍ程度重ねた状態で２点千鳥縫いにより縫着される。その後、左右のストラップ８，９は、起毛されたツーウエイ生地３１を内外を引っ繰り返すことで作製される。
【００３９】
以上の構成において、この実施の形態に係るカップ部を有する女性用衣料としてのブラジャーでは、次のようにして、バストカップ部とバストとの間に隙間が生じるのを抑制し、着用感を向上させることが可能となっている。
【００４０】
すなわち、この実施の形態１に係るブラジャーは、図２に示すように、左右のバストカップ部２，３がバストパッド１７の内面側（肌側）に球形状に形成された多数の綿状繊維２０からなる中綿層１２を有している。
【００４１】
そのため、この実施の形態に係るブラジャー１は、図１１に示すように、バストカップ部２，３のデザインやサイズ、あるいは左右のバストの大きさの違いなど種々の要因により、左右のバストカップ部２，３と着用者のバストとの間に隙間が生じるような場合であっても、形状回復性の良い中綿層１２をバストパッド１７の裏面側に設けることにより、生じた隙間を肌触りの細かな球形状に形成された多数の綿状繊維２０が有する空気層として補間することができ、着用時にバストカップに良好にフィットすることができる。
【００４２】
また、中綿層１２を構成する球形状に形成された多数の綿状繊維２０は、空気層を有することから接触感に非常に優れ、空気層を保つことにより保温機能、保湿性を有している。
【００４３】
また、この実施の形態では、図４に示すように、表面に微少な凹凸を有するバストパッド１７の裏面側に中綿層１２を設けているため、中綿層１２がバストパッド１７表面の微少な凹凸に引っかかることにより、洗濯時などに中綿層１２が偏ることが無く、本来の位置に定着させることができる。
【００４４】
本発明者は、上記実施の形態の効果を確認するため、一般財団法人カケンテストセンターにＪＩＳ  Ｌ０２１７  １０６法に規定される吊干し試験を依頼したところ、試験後の試作品の外観、縫製ともに良好であり、寸法変化率はカップ丈、カップ幅が０％、アンダーバストが−０．７％であって、良好な結果が得られた。
【００４５】
さらに、この実施の形態では、伸縮性を有する不織布２５として、２Ｎの荷重を加えたときの伸び率が５０％以上と非常に大きい日本バイリーン株式会社製のエアーパック（登録商標）を使用しているため、人体の体側部から背面部に掛けて良好にフィットすることができる。
【００４６】
実施の形態２
図１２はこの考案の実施の形態２に係るパッド体を示す断面構成図である。
【００４７】
このパッド体４０は、ブラジャー１のバストカップ部２，３に独立して着脱自在に装着されるバストパッドとして構成されている。パッド体４０は、モールド成型された発泡ウレタン等からなるパッド本体４１と、パッド本体４１の内面側に配置され、球形状に形成された多数の綿状繊維からなる中綿層４２を備えている。また、パッド本体４１及び中綿層４２の表裏両面は、表地４３及び裏地４４に被覆されている。
【００４８】
上記の実施の形態では、パッド体としてバストパッドに適用した場合について説明したが、パッド体としてはこれに限定されるものではなく、デルタパッドとして構成しても良いことは勿論である。
【００４９】
なお、パッド体４０の形状を保持させる表構成は、発泡ウレタン等からなるパッド本体４１に限定されるものではなく、必要とする保形性を有するものであれば、当該パッド本体４１の厚さも含めこれを限定するものではない。
【符号の説明】
【００５０】
１：ブラジャー、２、３：バストカップ部、４：フロントパネル、５、６：バックパネル、１２：中綿層、２０：球形状に形成された多数の綿状繊維。
【図１】
0003199461.tif 000003
【図２】
0003199461.tif 000004
【図３】
0003199461.tif 000005
【図６】
0003199461.tif 000006
【図７】
0003199461.tif 000007
【図８】
0003199461.tif 000008
【図９】
0003199461.tif 000009
【図１０】
0003199461.tif 000010
【図１１】
0003199461.tif 000011
【図１２】
0003199461.tif 000012
【図４】
0003199461.tif 000013
【図５】
0003199461.tif 000014
【手続補正書】
【提出日】平成27年6月23日(2015.6.23)
【手続補正１】
【補正対象書類名】実用新案登録請求の範囲
【補正対象項目名】請求項５
【補正方法】変更
【補正の内容】
【請求項５】
前記中綿層は、ポリエステルの繊維を直径２〜４ｍｍの球形状に粒子化させて綿状に形成した繊維からなることを特徴とする請求項２乃至４のいずれかに記載のカップ部を有する女性用衣料。
【手続補正２】
【補正対象書類名】明細書
【補正対象項目名】００１３
【補正方法】変更
【補正の内容】
【００１３】
請求項５に記載された考案は、前記中綿層が、ポリエステルの繊維を直径２〜４ｍｍの球形状に粒子化させて綿状に形成した繊維からなることを特徴とする請求項２乃至４のいずれかに記載のカップ部を有する女性用衣料である。